(57)【要約】【課題】スライダの形状を工夫することにより、塵埃やアウトガス化合物のような外乱物が空気潤滑面へ進入するのを防いで、情報記録再生を行うのに信頼性の高い浮上型ヘッドスライダおよび情報記録再生装置を提供すること。【解決手段】記録媒体２に対向する対向部３０と対向部とは反対の表面部３２を有し、対向部側に形成された空気潤滑面形成部５０と記録媒体２の表面との間で動圧による空気の潤滑によって浮揚力を受け、情報記録再生用のヘッドを有する浮上型ヘッドスライダであり、対向部３０と表面部３２の間に位置する側面部は、空気の流れ方向の下流側から空気の流れ方向の上流側にかけて上流側が先細りになるようにエッジ型に加工されている。【選択図】　　　　図３
2004103131.tif 000002
【特許請求の範囲】
【請求項１】
記録媒体に対向する対向部と前記対向部とは反対の表面部を有し、前記対向部側に形成された空気潤滑面形成部と前記記録媒体の表面との間で動圧による空気の潤滑によって浮揚力を受け、情報記録再生用のヘッドを有する浮上型ヘッドスライダにおいて、
前記対向部と前記表面部の間に位置する側面部は、前記空気の流れ方向の下流側から前記空気の流れ方向の上流側にかけて前記上流側が先細りになるようにエッジ型に加工されていることを特徴とする浮上型ヘッドスライダ。
【請求項２】
前記対向部の平面形状は、六角形である請求項１に記載の浮上型ヘッドスライダ。
【請求項３】
前記対向部の平面形状は、五角形である請求項１に記載の浮上型ヘッドスライダ。
【請求項４】
前記対向部の平面形状は、三角形である請求項１に記載の浮上型ヘッドスライダ。
【請求項５】
前記対向部の平面形状は、流線型である請求項１に記載の浮上型ヘッドスライダ。
【請求項６】
前記対向部の平面形状は、半円形型である請求項１に記載の浮上型ヘッドスライダ。
【請求項７】
前記空気潤滑面形成部は、
前記対向部側に形成されている第１空気潤滑面と、
前記第１空気潤滑面から前記表面部側に向けて形成された第１段差部をへて形成されている第２空気潤滑面と、
前記第２空気潤滑面から前記表面部側に向けて形成された第２段差部をへて形成されている第３空気潤滑面と、を備えている請求項１に記載の浮上型ヘッドスライダ。
【請求項８】
記録媒体に対向する対向部と前記対向部とは反対の表面部を有し、前記対向部側に形成された空気潤滑面形成部と前記記録媒体の表面との間で動圧による空気の潤滑によって浮揚力を受け、情報記録再生用のヘッドを有する浮上型ヘッドスライダを備える情報記録再生装置において、
前記浮上型ヘッドスライダは、前記対向部と前記表面部の間に位置する側面部は、前記空気の流れ方向の下流側から前記空気の流れ方向の上流側にかけて前記上流側が先細りになるようにエッジ型に加工されていることを特徴とする情報記録再生装置。
【請求項９】
前記記録媒体の出入れのない固定ハードディスクドライブ装置である請求項８に記載の情報記録再生装置。
【請求項１０】
前記記録媒体の交換が可能なリムーバブルハードディスクドライブ装置である請求項８に記載の情報記録再生装置。
【発明の詳細な説明】
【０００１】
【発明の属する技術分野】
本発明は、ヘッドを搭載した浮上型ヘッドスライダおよびこの浮上型ヘッドスライダを備える情報記録再生装置に関するものである。
【０００２】
【従来の技術】
情報記録再生可能な電子機器、たとえば携帯型のコンピュータ等には、情報記録再生装置の一例としてハードディスクドライブ（ＨＤＤ）装置が内蔵あるいは外部に接続できるようになっている。
図１０は、ハードディスクドライブ装置の例を示しており、このハードディスクドライブ装置１０００は、いわゆる固定型のハードディスクドライブ装置である。ハードディスクドライブ装置１０００の筐体１００１内には磁気ディスク１００２が内蔵されており、この磁気ディスク１００２は図示しないスピンドルモータによって、角速度一定で回転駆動されるようになっている。
【０００３】
アーム１００４の一端にはボイスコイル１００５が取り付けられており、アーム１００４の他端には磁気ヘッドが組み込まれたスライダ１００６が取り付けられている。マグネット１０１０とマグネット１０１２の間にはボイスコイル１００５が配置されており、マグネット１０１０，１０１２およびボイスコイル１００５によりボイスコイルモータが構成されている。
ボイスコイル１００５の電流が、マグネット１０１０，１０１２の磁界から力を受けて軸１０１４を中心に回動して、それにより図１１に示すスライダ１００６の磁気ヘッド１０２０が磁気ディスク１００２のほぼ半径方向に移動し、すなわちシーク動作して所定の磁気ディスク１００２のトラックに対して情報の磁気的記録あるいは情報の磁気的再生を行なうことができる。
【０００４】
ところで、一般のハードディスクドライブ装置においては、磁気ディスク１００２の表面（磁気記録再生面）と磁気ヘッド１０２０の接触による摩耗と損傷を避けるために、磁気ヘッド１０２０は空気潤滑面を持つスライダ１００６と一体型で構成されており、磁気ヘッド１０２０は磁気ディスク１００２の表面に対して非接触で情報を記録したりあるいは磁気ディスク１００２の情報を再生できる。
【０００５】
図１２は、スライダ１００６の形状例を示している。
スライダ１００６にはレール１０３０が加工されており、図１１に示す磁気ディスク１００２を矢印１０３１の方向に回転させた時に生じる空気流から、これらのレール１０３０が浮揚力（圧力）を受けて、この浮揚力によりスライダ１００６とともに磁気ヘッド１０２０が、磁気ディスク１００２の表面より図１３に示すように微小隙間（浮上量又は浮上高さという）１０４０を以って浮上走行するようになっている。この浮上量１０４０は、たとえば２０ｎｍ程度であり、研究レベルでは１０ｎｍの安定浮上を目指して実験検討が成されている。
【０００６】
以上説明したのが、いわゆるフライングヘッド（浮上型磁気ヘッド）方式のハードディスクドライブ装置であるが、このドライブ装置ではある程度の磁気ディスク１００２の凹凸に対してスライダ１００６が追従してスペーシング損失を低下させる上に、摩耗損傷を防止することができる。
従来のこのようなスライダは、その空気流入端側が広い平坦面になっている（例えば特許文献１参照。）。
【０００７】
【特許文献１】
特開平７−１４７０７１号公報（第４頁、第１図）
【０００８】
【発明が解決しようとする課題】
ところが、上述したような浮上型ヘッドスライダを用いると、次のような問題がある。上述したようなフライングヘッド方式のハードディスクドライブ装置では、スライダ１００６が磁気ディスク１００２の微小な反りやうねりにもよく追従するという利点があるという一方で、スライダ１００６は塵埃やアウトガスからの化合物などの外乱に極めて弱いという欠点がある。
しかも磁気ディスクを出し入れしないいわゆる固定型のハードディスクドライブ装置においては、上述したような外乱が外部から進入してこないのであるが、このような固定型のハードディスクドライブ装置においても、装置の内部における発塵や内部アウトガスによる化合物が、スライダの空気潤滑面に進入することにより、スライダのヘッドがヘッドクラッシュを発生する起因性を持つ。
【０００９】
図１４は、塵埃が空気潤滑面に進入して付着するメカニズムの例を示している。
図１４は、スライダ１００６の空気の流れの上流側の平坦な空気流入端１０９０に塵埃１０３０が溜まった例を示している。この塵埃１０３０の一部１０３１がスライダ１００６の空気潤滑面１０３３に進入して付着してしまう。
このような問題に対する一般的な対策としては、固定型ハードディスクドライブ装置の内部の発塵に対しては、回転による摩擦部の摩擦力低減（接触面積の低下やグリースの塗布など）や、発塵しない材料の選定などを行う。これにより、内部からのアウトガスに関しては、アウトガス発生物質（グリースやゴム、シリコン系材料など）のキュア（ガス抜き）や材料の選定を行うことにより対応している。
そして、外部との空気の交換が極めて少ない上述したような固定型のハードディスクドライブ装置であれば、上記の対策で十分対応できるが、リムーバブルハードディスクドライブ装置の場合にはそうではない。リムーバブルハードディスクドライブ装置では、ケースに収容された磁気ディスクが出し入れ可能になっている。このようなリムーバブルハードディスクドライブ装置の場合には、外部から進入してくる塵埃やガスに対する対策も必要である。リムーバブルハードディスクドライブ装置は、固定型ハードディスクドライブ装置に比べて、外部から進入してくる塵埃やガスの量が、けた違いに多いために、上記の対策では全く不十分である。
そこで本発明は上記課題を解消し、スライダの形状を工夫することにより、塵埃やアウトガス化合物のような外乱物が空気潤滑面へ進入するのを防いで、情報記録再生を行うのに信頼性の高い浮上型ヘッドスライダおよび情報記録再生装置を提供することを目的としている。
【００１０】
【課題を解決するための手段】
請求項１の発明は、記録媒体に対向する対向部と前記対向部とは反対の表面部を有し、前記対向部側に形成された空気潤滑面形成部と前記記録媒体の表面との間で動圧による空気の潤滑によって浮揚力を受け、情報記録再生用のヘッドを有する浮上型ヘッドスライダにおいて、前記対向部と前記表面部の間に位置する側面部は、前記空気の流れ方向の下流側から前記空気の流れ方向の上流側にかけて前記上流側が先細りになるようにエッジ型に加工されていることを特徴とする浮上型ヘッドスライダである。
【００１１】
請求項１では、浮上型ヘッドスライダの対向部と表面部の間に位置する側面部は、空気の流れ方向の下流側から空気の流れ方向の上流側にかけて上流側が先細りになるようにエッジ型に加工されている。
これにより、塵埃やアウトガス化合物などの外乱物が流入してきた場合に、上流側が先細りになっているので、この外乱物は上流側にはたい積しにくくなり、対向部の空気潤滑面側に入り込む外乱物の量を少なくすることができる。
このことから、外乱物が空気潤滑面へ進入するのを防いで、情報記録再生を行うのに信頼性の高い浮上型ヘッドスライダを提供することができる。
【００１２】
請求項２の発明は、請求項１に記載の浮上型ヘッドスライダにおいて、前記対向部の平面形状は、六角形である。
【００１３】
請求項３の発明は、請求項１に記載の浮上型ヘッドスライダにおいて、前記対向部の平面形状は、五角形である。
【００１４】
請求項４の発明は、請求項１に記載の浮上型ヘッドスライダにおいて、前記対向部の平面形状は、三角形である。
【００１５】
請求項５の発明は、請求項１に記載の浮上型ヘッドスライダにおいて、前記対向部の平面形状は、流線型である。
【００１６】
請求項６の発明は、請求項１に記載の浮上型ヘッドスライダにおいて、前記対向部の平面形状は、半円形型である。
【００１７】
請求項７の発明は、請求項１に記載の浮上型ヘッドスライダにおいて、前記空気潤滑面形成部は、前記対向部側に形成されている第１空気潤滑面と、前記第１空気潤滑面から前記表面部側に向けて形成された第１段差部をへて形成されている第２空気潤滑面と、前記第２空気潤滑面から前記表面部側に向けて形成された第２段差部をへて形成されている第３空気潤滑面と、を備えている。
【００１８】
請求項７では、浮上型ヘッドスライダの空気潤滑面形成部は、第１空気潤滑面と第２空気潤滑面および第３空気潤滑面を有している。第１空気潤滑面は対向部側に形成されており最も浅く形成された面である。第２空気潤滑面は、第１空気潤滑面に比べて第１段差部をへて形成されているので次に浅く形成されている面である。第３空気潤滑面は、第２空気潤滑面から第２段差部をへて形成されているので、最も深く形成された面である。
【００１９】
請求項８の発明は、記録媒体に対向する対向部と前記対向部とは反対の表面部を有し、前記対向部側に形成された空気潤滑面形成部と前記記録媒体の表面との間で動圧による空気の潤滑によって浮揚力を受け、情報記録再生用のヘッドを有する浮上型ヘッドスライダを備える情報記録再生装置において、前記浮上型ヘッドスライダは、前記対向部と前記表面部の間に位置する側面部は、前記空気の流れ方向の下流側から前記空気の流れ方向の上流側にかけて前記上流側が先細りになるようにエッジ型に加工されていることを特徴とする情報記録再生装置である。
【００２０】
請求項８では、浮上型ヘッドスライダの対向部と表面部の間に位置する側面部は、空気の流れ方向の下流側から空気の流れ方向の上流側にかけて上流側が先細りになるようにエッジ型に加工されている。
これにより、塵埃やアウトガス化合物などの外乱物が流入してきた場合に、上流側が先細りになっているので、この外乱物は上流側にはたい積しにくくなり、対向部の空気潤滑面側に入り込む外乱物の量を少なくすることができる。
このことから、外乱物が空気潤滑面へ進入するのを防いで、情報記録再生を行うのに信頼性の高い浮上型ヘッドスライダを提供することができる。
【００２１】
請求項９の発明は、請求項８に記載の情報記録再生装置において、前記記録媒体の出入れのない固定ハードディスクドライブ装置である。
【００２２】
請求項９では、記録媒体の出し入れのない固定ハードディスクドライブ装置にあっては、比較的塵埃やガス化合物などの外乱の発生が少ないが、この場合においても、浮上型ヘッドスライダの上流側には外乱物がたい積しにくいので、外乱物が空気潤滑面へ進入するのを防ぐことができる。
【００２３】
請求項１０の発明は、請求項８に記載の情報記録再生装置において、前記記録媒体の交換が可能なリムーバブルハードディスクドライブ装置である。
【００２４】
請求項１０では、ドライブ装置において記録媒体の交換が可能であるので、固定型ハードディスクドライブ装置に比べて外乱物の量がけた違いに多いのであるが、外乱物が浮上型ヘッドスライダの上流側にたい積しにくいことから、外乱物が空気潤滑面へ進入するのを防いで、結果として信頼性の高いリムーバブルハードディスクドライブ装置を提供できる。
【００２５】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２６】
図１は、本発明の浮上型ヘッドスライダを有する情報記録再生装置の好ましい実施の形態を示している。
図１に示す情報記録再生装置は、一例としてハードディスクドライブ装置（ＨＤＤ）であり、このハードディスクドライブ装置１０は、筐体１の中に磁気ディスク２が収容されている。磁気ディスク２は、いわゆるハードディスク（ＨＤ）と呼ばれている。この磁気ディスク２は、スピンドルモータ３によって、角速度一定で回転駆動される。
【００２７】
アーム４の一端にはボイスコイル５が取り付けられている。アーム４の一端には、サスペンション７が取り付けられている。このサスペンション７の先端には浮上型ヘッドスライダ（以下スライダという）６が取り付けられている。
ボイスコイル５は、マグネット１０とマグネット１２により挟まれた位置に配置されており、ボイスコイル５とマグネット１０，１２はボイスコイルモータを構成している。ボイスコイル５に流れる電流が、マグネット１０，１２の磁界から力を受けて軸１４を中心にアーム４が回動する。
これにより、スライダ６に取り付けられた図２に示す磁気ヘッド２０が磁気ディスク２の表面（情報記録面）１１に対して、半径方向、すなわちシーク方向に動作して、磁気ディスク２の表面１１の所定のトラックに対して磁気ヘッド２０が情報を磁気的に記録をしたり、あるいは磁気ディスク２に記録されている情報を磁気的に再生するようになっている。
【００２８】
図２に示すスライダ６は、たとえばほぼ直方体形状であり、スライダ６は対向部３０と表面部３２を有している。対向部３０は、磁気ディスク２の表面１１に対向している部分である。この磁気ディスク２は、記録媒体の一種である。
表面部３２は、たとえば図の例ではジンバル３３を用いて、サスペンション７の先端部に取り付けられている。サスペンション７は、ピボット３４を用いてスライダ６の表面部３２をサポートしている。サスペンション７の他端部はアーム４に固定されている。
スライダ６は、空気流入端（空気流入端面ともいう）４０と空気排出端４１を有している。空気流入端４０は、空気流入部あるいは空気導入部等とも呼び、空気排出端４１は空気排出部等とも呼ぶ。
【００２９】
図３と図４は、図２のスライダ６の形状の好ましい実施の形態を示している。図３と図４では、スライダ６の対向部３０側を詳しく図示している。
以下に説明する本発明の各実施の形態のスライダ６は、スライダの空気潤滑面の構築は、物理的なドライエッチングを用いて行なう。以下に説明する各実施の形態においては、スライダ６の対向部３０側に形成された空気潤滑面形成部５０と、図２に示す磁気ディスク２の表面１１の間には、動圧による空気潤滑が生じ、スライダ６は表面１１に対して浮揚力を受けて、スライダ６は磁気ヘッド２０と表面１１の間に所定の浮上量を確保するようになっている。
【００３０】
図３に示す空気潤滑作用を起こすための空気潤滑面形成部５０には、通常空気流入端４０と空気排出端４１にかけて、上述したような物理的なドライエッチングにより第１空気潤滑面６１、第２空気潤滑面６２および第３空気潤滑面６３が形成されている。
【００３１】
図４において、第１空気潤滑面６１は合計３箇所をたとえば矩形状に形成されている。第２空気潤滑面６２は、左右のレール部６４を有し、第２空気潤滑面６２は、第１空気潤滑面６１の周囲にも形成されている。
第３空気潤滑面６３は、第２空気潤滑面６２のレール部６４，６４と後側の第２空気潤滑面６２の間にも形成されている。
【００３２】
図３の第１空気潤滑面６１は、対向部３０側から見て最も高い位置に形成されており、表面部３２側から見ると最も浅い位置に形成されている。
第２空気潤滑面６２は、第１空気潤滑面６１に比べると、対向部３０側から見て第１段差部８１をへて表面部３２側に凹むように形成されている。
第３空気潤滑面６３は、第２空気潤滑面６２に比べると、表面部３２に対して第２段差部８２をへて表面部３２側に向けて凹むように形成されている。
空気排出端４１側の第１空気潤滑面６１のヘッド搭載部１９０には、磁気ヘッド２０が取り付けられている。
【００３３】
このように、本発明の実施の形態のスライダ６は、第１空気潤滑面６１、第２空気潤滑面６２および第３空気潤滑面６３の合計３段の空気潤滑面が形成されている。
第１空気潤滑面６１は、レールあるいはその形状により時にはパッドとも呼ばれている。
第２空気潤滑面６２は、特にステップあるいはＴＰＣ（Ｔｒａｎｓｖｅｒｓｅ
Ｐｒｅｓｓｕｒｅ　Ｃｏｎｔｏｕｒ）と呼ばれることがある。
第３空気潤滑面６３は、負圧を発生する働きから負圧溝と呼ばれることがある。
【００３４】
図４のように第１サイド部７１と第２サイド部７２の形成方向をＹ方向とすると、それに直交する方向をＸとする。
図３と図４に示すように、スライダ６の第１サイド部７１と第２サイド部７２は、平行でありしかも空気流入端４０から空気排出端４１にかけてＹ方向に平行に形成されている。第１サイド部７１と第２サイド部７２は、第１空気潤滑面６１、第２空気潤滑面６２および第３空気潤滑面６３に対して垂直方向に形成されている。
【００３５】
図３と図４のスライダ６の実施の形態では、対向部３０の平面形状は六角形状である。図４において、対向部３０の中心軸ＣＬは、空気流入端４０から空気排出端４１にかけて引かれた中心線である。この中心線ＣＬを中心として、対向部３０の空気潤滑面形成部５０の形状は左右対称形状になっている。第１サイド部７１と第２サイド部７２は、中心軸ＣＬを中心として左右対称形状である。
【００３６】
第１サイド部７１と第２サイド部７２に対して垂直方向すなわちＸ方向に関して、空気流入端４０は、第１潤滑面６１、第２潤滑面６２および第３潤滑面６３に対して垂直に形成されている。空気流入端４０は、平面状の部分であり、空気流入端４０と第１サイド部７１の間には、傾斜面９０が形成されている。また空気流入端４０と第２サイド部７２の間にも傾斜面９１が形成されている。傾斜面９０と傾斜面９１は、中心軸ＣＬを中心として左右対称形状になっている。
空気排出端４１は、空気流入端４０と同様にＸ方向に平行に形成されている。このようにスライダ６の対向部３０の平面形状は、空気の流れ方向の下流側である空気排出端４１から空気の流れ方向の上流側である空気流入端４０にかけて、上流側である空気流入端４０側が先細りになるようなエッジ型に加工されている。
【００３７】
これによって、傾斜面９０，９１が形成されていない場合に比べて、空気流入端４０側には、塵埃やアウトガス化合物のような外乱物が空気流入方向Ｔ方向から進入してもたい積しづらくなる。
このような外乱物は、傾斜面９０，９１を経て第１サイド部７１、第２サイド部７２に沿って空気排出端４１方向に排出されていくことになる。したがって外乱物が空気潤滑面形成部５０の第１空気潤滑面６１から第３空気潤滑面６３に進入するのを極力防ぐことができる。
上述したように図３と図４の実施の形態のスライダ６は、空気流入端４０の右側と左側のエッジを落とすようにして傾斜面９０，９１を形成している。これによって、進入してくる外乱物は、空気排出端４１側に向けてスムーズに排出することができ、外乱物が空気潤滑面形成部５０に進入するのを防いでいる。このため、このようなスライダ６を使用する図１に示すいわゆる固定型のハードディスクドライブ装置１０は、情報記録再生を行うのに信頼性の高いものになる。
【００３８】
次に、本発明の別の実施の形態について説明する。
以下に説明する本発明の別の実施の形態においては、図３と図４に示すスライダ６と同じ構成要素の部分には同じ符号を記してその説明を用いることにする。図５と図６に示すスライダの実施の形態では、スライダ６の対向部３０から見た平面形状が、五角形になっている。このスライダ６の五角形形状は、中心軸ＣＬを中心として左右対称である。
【００３９】
図５の実施の形態では、空気流入端１４０側には、２つの傾斜面１９０，１９１が形成されている。これらの傾斜面１９０，１９１は、空気流入端１４０の先端部１６９から第１サイド部１７１と第２サイド部１７２に対してそれぞれ接続されている。したがって、図５のスライダ６は、対向部３０の平面で見て五角形形状である。
このようなスライダ６の形状にしても、やはり空気流入端１４０には外乱物がたい積せずに、傾斜面１９０，１９１および第１サイド部１７１と第２サイド部１７２を通じて空気の流れの下流側に流れている。したがって外乱物が空気潤滑面形成部５０に進入するのを防ぐことができる。
【００４０】
図６の実施の形態のスライダ６は、対向部３０の平面で見て三角形状である。このスライダ６の形状は、中心軸ＣＬを中心として左右対称形状であり、二等辺三角形である。
空気流入端２４０は尖っており、進入してくる外乱物は、第１サイド部２７１と第２サイド部２７２を通じて空気の下流側に流れて行く。このことから外乱物が空気潤滑面形成部５０に進入するのを防ぐことができる。
【００４１】
図７は、本発明のスライダのさらに別の実施の形態を示しており、図７のスライダ６は、いわゆる流線型のものである。スライダ６の対向部３０は平面で見てたとえば放物線型の形状を有しており、空気流入端３４０からは第１サイド部３７１と第２サイド部３７２が緩やかに湾曲して形成されている。
このことから空気流入端３４０に流入する外乱物は、第１サイド部３７１と第２サイド部３７２により案内されて空気の下流側に導かれる。したがって外乱物は空気潤滑面形成部５０に進入しない。
【００４２】
図８のスライダ６は対向部３０の平面形状で見ると半円形型である。空気流入端４４０から空気排出端４１にかけて第１サイド部４７１と第２サイド部４７２を有しているが、これらの第１サイド部４７１、第２サイド部４７２が、空気流入端４４０に進入してくる外乱物を案内して、空気の下流側に導く。したがって、外乱物が空気潤滑面形成部５０に進入するのを防ぐ。
上述した実施の形態では、空気の流れ方向の上流側である空気流入端の形状が先細りになるようにエッジ型に加工されている。これによって、空気流入端の空気流入方向に対する面積を小さくすることができ、外乱物が空気流入端にたい積するのを防いで、しかも外乱物を空気の下流側に案内することにより、外乱物が空気潤滑面形成部に進入するのを極力防ぐのである。
【００４３】
固定型のハードディスクドライブ装置の装置内に浮遊している塵埃は、磁気ディスク上に付着してたい積し、その後スライダの空気流入端側に付着する。空気潤滑面形成部と磁気ディスクの間の隙間は非常に小さいために、初期の時点では空気潤滑面形成部に入り込む外乱物の量は少ない。
しかし、従来では、空気流入端側に付着した外乱物が時間と共に増加してたい積量が多くなった時点で、スライダの空気流入端側にある外乱物が圧力を受けて空気潤滑面形成部に進入してしまう。
【００４４】
しかし、本発明の実施の形態では、対向部と表面部の間に位置する側面部が、空気の流れ方向の下流側から空気の流れ方向の上流側にかけて上流側が先細りになるようにエッジ型に加工されている。すなわち、スライダ６の空気流入端側が、外乱物の進入する方向に対する面積をできるだけ小さくするような形状にしている。このことから、空気流入端における外乱物のたい積を防ぐことにより、空気潤滑面形成部に進入する外乱物を極力なくすかもしくは減らすことができる。したがって、本発明の実施の形態では、浮上型ヘッドスライダをエッジ型に加工することにより、スライダの空気流入端における外乱物のたい積を防いで空気潤滑面形成部に対する外乱物の進入を防ぎ、スライダの安定した浮上が可能である。このために固定型ハードディスクドライブ装置において情報記録再生を行う場合に動作信頼性を高めることができる。
本発明の実施の形態では、塵埃やアウトガス化合物といった外乱物が、脆弱な空気潤滑面形成部へ進入したりあるいは付着するのを防ぐことができる。
【００４５】
ところで上述した浮上型ヘッドスライダは、図１に示すハードディスクドライブ装置１０に適用されている。
このハードディスクドライブ装置１０は、いわゆる固定ハードディスクドライブ装置と呼ばれていて、磁気ディスク２を着脱可能に取り換えることができる。
【００４６】
これに対して、図９に示すのは、いわゆるリムーバブルハードディスクドライブ装置１０Ａを示している。このリムーバブルハードディスクドライブ装置１０Ａは、筐体１Ａの中にモータ３とアーム４およびボイスコイルモータ５Ａが収容されている。
磁気ディスク（たとえばハードディスク）２Ａは、ケース２Ｂに収容されている。このケース２Ｂは、筐体１Ａの中に着脱可能に取り付けることができる。
筐体１Ａの中に取り付けられた磁気ディスク２Ａは、スピンドルモータ３により連続回転することができる。アーム４やスライダ６およびボイスコイルモータ５Ａの構造は、図１に示すものと同様な構造であるのでその説明を用いることにする。
【００４７】
リムーバブルハードディスクドライブ装置１０Ａは、特に小型の電子機器、たとえばノート型のパーソナルコンピュータやＰＤＡ（携帯情報端末）等に対して内蔵もしくは装着されている。磁気ディスク２Ａのケース２Ｂは、筐体１Ａに対して着脱可能に交換することができるというメリットがある。
このようなリムーバブルハードディスクドライブ装置１０Ａに対しても、上述した浮上型ヘッドスライダが適用できる。
【００４８】
このようなケースに入った磁気ディスクをリムーバブルハードディスクドライブ装置から出し入れする場合には、すでに述べた固定型ハードディスクドライブ装置に比べてさらに外乱物の量がけた違いに増える。しかしこのような場合においても、上述したようなスライダの形状を採用することにより、外乱物がスライダの空気流入端側にたい積するのを防いで、外乱物が空気潤滑面形成部に進入するのを防ぎこれによってスライダの安定浮上が可能となる。
【００４９】
また本発明の浮上型ヘッドスライダを有する情報記録再生装置は、ハードディスクドライブ装置に限らず、光磁気ディスクに記録再生する磁気記録再生装置（たとえばミニディスク（ＭＤ）やＭａｇｎｅｔｏ　Ｏｐｔｉｃａｌ　Ｄｉｓｋ（ＭＯ）をも含むものである。
また本発明の浮上型ヘッドスライダは、光記録再生ディスクの記録再生をするためのヘッドを搭載していてもよい。この浮上型ヘッドスライダを有する情報記録再生装置は、光記録再生ディスク装置ともいう。このスライダのヘッドは、たとえば光をディスクに照射したり、その戻り光を通すための対物レンズ等を有する。
本発明の実施の形態は、塵埃やアウトガス化合物のような外乱物の進入量が多い、特に上述したようなリムーバブルハードディスクドライブ装置や光ディスクにおいて効果が高い。
【００５０】
【発明の効果】
以上説明したように、本発明によれば、スライダの形状を工夫することにより、塵埃やアウトガス化合物のような外乱物が空気潤滑面へ進入するのを防いで、情報記録再生を行うことの信頼性を高めることができる。
【図面の簡単な説明】
【図１】本発明の浮上型ヘッドスライダを備える情報記録再生装置の好ましい実施の形態を示す斜視図。
【図２】スライダとサスペンションなどを示す図。
【図３】本発明のスライダの好ましい実施の形態を示す図。
【図４】図３のスライダの平面図。
【図５】本発明のスライダの別の実施の形態を示す斜視図。
【図６】本発明のスライダのさらに別の実施の形態を示す斜視図。
【図７】本発明のスライダのさらに別の実施の形態を示す斜視図。
【図８】本発明のスライダのさらに別の実施の形態を示す斜視図。
【図９】本発明の情報記録再生装置の別の実施の形態であるリムーバブルハードディスクドライブ装置を示す斜視図。
【図１０】通常のハードディスクドライブ装置を示す斜視図。
【図１１】磁気ディスクとスライダ等を示す斜視図。
【図１２】一般的なスライダを示す斜視図。
【図１３】一般的なスライダの浮上量を示す斜視図。
【図１４】従来のスライダの空気流入端に外乱物がたい積した様子の例を示す斜視図。
【符号の説明】
２・・・磁気ディスク（ディスク状の記録媒体の一例）、４・・・アーム、６・・・スライダ、７・・・サスペンション、１０・・・ハードディスクドライブ装置（情報記録再生装置の一例）、１１・・・磁気ディスクの表面、２０・・・磁気ヘッド、３０・・・対向部、３２・・・表面部、４０・・・空気流入端、４１・・・空気排出端、５０・・・空気潤滑面形成部、Ｔ・・・空気流入方向
【図１】
2004103131.tif 000003
【図２】
2004103131.tif 000004
【図３】
2004103131.tif 000005
【図４】
2004103131.tif 000006
【図５】
2004103131.tif 000007
【図６】
2004103131.tif 000008
【図７】
2004103131.tif 000009
【図８】
2004103131.tif 000010
【図９】
2004103131.tif 000011
【図１０】
2004103131.tif 000012
【図１１】
2004103131.tif 000013
【図１２】
2004103131.tif 000014
【図１３】
2004103131.tif 000015
【図１４】
2004103131.tif 000016